(57)【要約】【課題】  ユニット化した回胴表示装置ユニットを容易に脱着できると共に、遊技者の視認性を向上するスロットマシンのユニット構造を提供する。【解決手段】  遊技機枠に収納される枠体が前枠、中枠、外枠とで構成され、前枠および中枠は、回転変動表示する複数個の回胴表示装置ユニット６を有し、前面にデザインパネル付き保護板を備える遊技ユニット８が中枠に配設されている。遊技ユニット８は、複数個の回胴表示装置ユニット６を制御する電源線及び信号線を通す切り欠き部７０が背部に設けられると共に、当該遊技ユニット８の背部には、スロットマシンの遊技制御を行なう主制御基板が配設されている。複数個の回胴表示装置ユニット６は、ワンタッチ式の止着装置６４ｂにより遊技ユニット８内にそれぞれ固定され、該遊技ユニット８から、それぞれ独立して着脱可能である。【選択図】        図３
2005168845.tif 000002
【特許請求の範囲】
【請求項１】
遊技球を保持し、供給するための皿装置と、この皿装置から供給される遊技球をスロットマシン用の遊技媒体として取込むための球取込装置と、回転変動表示する回胴表示装置を有する遊技盤ユニットを備え、遊技枠に収納される枠体が前枠と後部枠とで形成され、
前記前枠は、ガラス板が嵌め込まれた窓部と該窓部の下方に前記皿装置を備えて後部枠に片開き可能に取付けられると共に、
前記遊技盤ユニットは、前記後部枠に備えられると共に、デザインパネル付き保護板を前面に備え、
前記前枠の窓部は、当該前枠を前記後部枠に閉じたとき、前記デザインパネル付き保護板の周囲を覆うことを特徴とするスロットマシンのユニット構造。
【発明の詳細な説明】
【技術分野】
【０００１】
本発明は、パチンコ機用とスロットマシン用とに共通に使用できる遊技機枠を用いて構成され、パチンコ球を使用して遊技を行う構成のスロットマシンに関するものであり、更に詳しくはマシン本体部が交換可能であって、パチンコ機用とスロットマシン用とに共通に使用できると共に、遊技者によるいたずらの防止手段を備えるスロットマシンに関するものである。
【背景技術】
【０００２】
パチンコ機では、遊技によってその遊技盤が汚損されたり、遊技盤のデザインが陳腐化することを防止するため、定期的に遊技盤の交換が行われる。その際、パチンコ機においては、そのマシン本体部が取付けられているパネルのみを交換することが可能である。この交換は、「パネル換え」と称されている。これに対してスロットマシンの場合、ドラムに表示される図案やその周辺部のデザインが陳腐化した場合、スロットマシン全体を交換しなければならない。
【０００３】
遊技球を遊技媒体として使用し、遊技盤の遊技領域内で遊技球を弾かせて複数種類の図柄を複数備えた画像を変動表示させた後停止させ、その停止した図柄の揃い方に応じた遊技を行うパチンコ機と、同じく遊技球を遊技媒体として使用し、複数種類の図柄を複数備えた画像を変動表示させた後停止させ、その停止した図柄の揃い方に応じた遊技を行うスロットマシンとが遊技機の中で知られている。そして、パチンコ機とスロットマシンに共通に使用し得る遊技機枠を備え、パチンコ機用の遊技盤と皿装置と球発射装置と、スロットマシン用の遊技盤と皿装置と球取込装置とを交換することで、パチンコ機としてもスロットマシンとしても構成することができる遊技機枠が知られている（例えば、特許文献１参照。）。
【０００４】
また、パチンコ機とスロットマシンの両用として構成することはできないが、スロットマシンのマシン本体部が、パネル換えによって交換可能なスロットマシンが開示されている（例えば、特許文献２参照。）。かかるスロットマシンＡは、図５、図６に示すように、板材よりなる縦板１００ａと横板１００ｂとを方形枠状に形成した外枠１００と、該外枠１００に取付けられたヒンジ金具Ｈにより、前記外枠１００に対して開閉可能に取付けられた内枠２００とから構成されている。スロットマシンＡの場合、前記外枠１００の大きさ（高さと幅の各寸法）は、パチンコ機の外枠の大きさとほぼ同一である。この外枠１００を構成する上下の横板１００ｂは、釘等によって遊技店に設けられた島台に固定される。また、左右の縦板１００ａは、隣接するパチンコ機（またはスロットマシンＡ）の縦板（または球貸機）に接続される。また、ヒンジ金具Ｈは、外枠１００と内枠２００の上下端部にそれぞれ水平に固着された各ヒンジ板３００、４００と、これらのヒンジ板３００、４００を連結しているヒンジピン５００とで構成されている。このため、内枠２００は、図６に示されるように、ヒンジピン５００の軸心を中心として、外枠１００に対して回動可能である。
【０００５】
内枠２００の正面側の下部には、上皿部６００と下皿部７００とが設けられている。また、内枠２００の背面側にはパネル支持枠８００が取付けられていて、その開口部８００ａには、スロットマシンＡのマシン本体部９００が取付けられている。このマシン本体部９００は、従来のスロットマシン（メダルを使用する構成のスロットマシン）のマシン本体部と同一である。そして、この内枠２００の正面側には、パチンコ機と同様に、ガラス１１０ａが嵌め込まれたガラス枠１１０と、前記上皿部６００を支持するための上皿支持枠１２０とが、蝶番１３０によりそれぞれ開閉可能にして取付けられている。前記ガラス１１０ａには、意匠が印刷されたシール（図示せず）が貼付されている。上皿部６００は、パチンコ球及び遊技の結果に応じて払い出される賞球を貯留するという機能を有しており、下皿部７００は前記上皿部６００よりオーバフローしたパチンコ球を貯留するという機能を有している。前記上皿部６００の送球斜面部６００ａは傾斜された状態で設けられているため、上皿部６００に貯留されたパチンコ球は、転動しながら下皿部７００に貯留される。
【０００６】
パネル支持枠８００の背面側には、蝶番１５０によって開閉可能にした機構板１６０が取付けられている。この機構板１６０のパチンコ機の機構板との相違点は、セーフ球検出機構部がないことのみで、それ以外は同一である。機構板１６０の上部には、貯留タンク１７０が取付けられている。この貯留タンク１７０の底部は、僅かに傾斜された状態で設けられており、該貯留タンク１７０に貯留されたパチンコ球は、転動しながら排出される。
【０００７】
上皿部６００におけるパチンコ球の出口部の背面側には、遊技者が選択した賭率に応じて所定数のパチンコ球を取り込むための定数送球装置Ｂが、上皿支持枠１２０を介して取付けられている。また、上皿部６００の上面のほぼ中央部には、マシン本体部９００を構成するドラムを回転させるためのスタートボタンＳ1 が設けられている。そして、前記スタートボタンＳ1の右側（スピーカ１４０が取付けられている側）には、前記ドラムの回転を停止させるためのストップボタンＳ2 〜Ｓ4 が、一列状態で３個設けられている。該ストップボタンＳ2 〜Ｓ4 の数は、ドラムの数に対応している。各ドラムの外周面には、所定の図柄が貼り付けられている。
【０００８】
【特許文献１】特開２００２−１９１８１６号公報
【特許文献２】特開２０００−７０４３６号公報
【発明の開示】
【発明が解決しようとする課題】
【０００９】
上記特許文献１の遊技機枠では、皿装置を交換してパチンコ機やスロットマシンを形成するので、交換部品が多く、交換作業が煩雑であった。また、上記特許文献２のスロットマシンでは、マシン本体部９００は、内枠２００を外枠１００に取付けられたヒンジ金具Ｈから外して交換可能である。しかし、内枠２００の正面側には、パチンコ機と同様に、ガラス１１０ａが嵌め込まれたガラス枠１１０と、前記上皿部６００を支持するための上皿支持枠１２０とが、蝶番１３０によりそれぞれ開閉可能にして取付けられているので、前記内枠２００を取外すと、マシン本体部９００とガラス１１０ａとは分離し回胴部７５０の表面は露出する。その結果、当該マシン本体部９００の交換時に、新しい回胴部７５０の表面に不注意で傷がつく場合がある。また、図示していない表示装置等にも傷がついたり、破損したりする事故が生じる場合がある。更に、前記ガラス１１０ａには、意匠が印刷されたシール（図示せず）が貼付されているので、マシン本体部９００の交換あるいは、パチンコ機として内枠２００及び外枠１００を使用する場合、該シールも張り替えねばならず、ガラス枠１１０と共にガラス１１０ａを取外し、シールの張替えをしなくてはならない。
本発明は、上記課題を解決するためになされたもので、ユニット化した遊技盤の交換作業を容易にできると共に、交換の際の作業などによってユニット化した遊技盤が具備する回転表示装置（回胴部）、液晶表示装置などに生じる傷、破損などの事故を低減すると共に、遊技者による故意のいたずらを防止できるスロットマシンのユニット構造を提供することを目的とする。
【課題を解決するための手段】
【００１０】
前記課題を解決するために、請求項１に記載のスロットマシンのユニット構造では、遊技球を保持し、供給するための皿装置と、この皿装置から供給される遊技球をスロットマシン用の遊技媒体として取込むための球取込装置と、回転変動表示する回胴表示装置を有する遊技盤ユニットを備え、遊技枠に収納される枠体が前枠と後部枠とで形成され、前記前枠は、ガラス板が嵌め込まれた窓部と該窓部の下方に前記皿装置を備えて後部枠に片開き可能に取付けられると共に、前記遊技盤ユニットは、前記後部枠に備えられると共に、デザインパネル付き保護板を前面に備え、前記前枠の窓部は、当該前枠を前記後部枠に閉じたとき、前記デザインパネル付き保護板の周囲を覆うことを特徴とする。
【発明の効果】
【００１１】
本発明によれば、遊技盤ユニットは、デザインパネル付き保護板を遊技盤前面に備えることにより、当該遊技盤ユニットの交換に際しても、遊技盤、特に回胴部に傷がついたり、表示装置が破損したりすることがなくなる。また、保護板をデザインパネル付きとすることで、従来のように、ガラス枠と共にガラス板を取外し、シールの張替えをする作業をなくすことができる。更に、デザインパネル付き保護板により遊技盤前面が保護される上に、前枠窓部にはガラス板が備えられると共に、前記前枠の窓部は、当該前枠を閉じたとき前記デザインパネル付き保護板の周囲を覆っているので、前枠を閉じたときに、磁石、その他の道具を用いて遊技盤前面から遊技者によって悪意にいたずらをされてもその影響を軽減できる。窓部にガラス板が備えられる前枠は、パチンコ機として使用する場合にも内枠及び外枠を使用できると共に、ガラス板が備えられる前枠もそのままパチンコ機に使用できる。
【発明を実施するための最良の形態】
【００１２】
まず、図１、図２、図３に基づいて発明の実施形態の遊技機枠を用いて構成されるスロットマシンについて説明する。遊技機枠１００は、図２に示すような後部枠１と、皿装置２０を備えた前枠２とで構成され、前枠２が上、下ヒンジ３、４を介して後部枠１に対して片開き可能に取付けられている。この遊技機枠１００に図示していない制御装置、回胴表示装置６、球取込装置７、遊技盤ユニット８その他の遊技部品で構成されるスロットマシン本体が搭載されてスロットマシンが構成される。
【００１３】
後部枠１は、島等と呼称される遊技機設置設備に設置される外枠９と、この外枠９に上、下ヒンジ１０、１１を介して外枠９に対して前枠２と同方向に片開き可能に取付けられた中枠１２とで構成される。上ヒンジ３は、中枠１２の左上隅部のヒンジ部材１３に設けられた孔１４と、前枠２の左上隅部のヒンジ部材１５の内部に設けられて上記孔１４に回転可能に挿着される図示されていない軸とで構成される。下ヒンジ４は、前枠２の左下隅部のヒンジ部材１６に設けられた孔１７と中枠１２の左下隅部のヒンジ部材１８に設けられて上記孔１７に回転可能に挿着される軸１９とで構成される。上、下ヒンジ１０、１１も同様に、外枠９と中枠１２の左上隅部に設けられた一対の図示されていない孔と軸とにより上ヒンジ１０が構成され、外枠９と中枠１２の左下隅部に設けられた一対の図示されていない孔と軸とにより下ヒンジ１１が構成される。
【００１４】
前枠２は下部に皿装置２０を備え、上部には中央が窓部２１に形成された前面装飾部２２を備える。前面装飾部２２は窓部２１の両側にサイドランプ２３ｓ、２３ｓを備え、窓部２１の上部にトップランプ２３ｔを備え、トップランプ２３ｔを挟むように左右両側に高音スピーカ２４、２４を備える。高音スピーカ２４、２４は、遊技者が音を聞き取りやすいように、やや内方に傾けて配置されている。窓部２１は、纂２５を介して区画された上部窓部２６と下部窓部２７とを備える。中枠１２の右側部中央の前側には錠２８が設けられ、この錠２８に図示されていない専用の鉤を差し込んで左に回動することにより、前枠２と中枠１２との間のロックが解除されて、前枠２がヒンジ３、４を支点として片開き可能となる。また、錠２８を右に回動すると中枠１２と外枠９との間のロックが解除されて中枠１２がヒンジ１０、１１を支点として前枠２とともに片開き可能となる。
【００１５】
皿装置２０は、前枠２の前面装飾部２２より前方に突出し、下方に行くにしたがってその横幅が狭くなる形態に形成されている。皿装置２０の球収納部３１は、上部開放形状に形成され、球収納部３１は、図示されていない球貸機の球排出ノズルからの貸球を受ける。球取込装置７は、前枠２の裏面に取付けられている。皿装置２０の前面５０には、遊技開始指示手段としてのスタートレバースイッチ部５１と、このスタートレバースイッチ部５１からのスタート信号を入力した制御装置により複数の回胴リールの回転をそれぞれ停止させて表示窓に図柄を停止させる第１図柄停止ボタンスイッチ部６０、第２図柄停止ボタンスイッチ部６１、第３図柄停止ボタンスイッチ部６２とを備えている。
【００１６】
皿装置２０の上面には、最大の賭球数（ＭＡＸＢＥＴ）を設定するＭＡＸＢＥＴボタンスイッチ部７１、ＭＡＸＢＥＴよりも小さな賭球数を設定する１ＢＥＴボタンスイッチ部７２、賭球数の設定を取り消すキャンセルボタンスイッチ部７３、遊技者が獲得あるいは投入した球を精算して球を回収するための設定手段である球抜きボタンスイッチ部７４がそれぞれ並べて設けられている。なお、１ＢＥＴボタンスイッチ部７２は、スタートレバースイッチ部５１の操作によるゲーム開始前に設定するものであり、１回目の設定で１ＢＥＴの設定、２回目の設定で２ＢＥＴの設定、３回目の設定で３ＢＥＴ即ちＭＡＸＢＥＴの設定が可能となる。ＭＡＸＢＥＴ設定後１ＢＥＴ、２ＢＥＴに設定し直したい場合にはキャンセルボタンスイッチ部７３を操作することにより、１ＢＥＴボタンスイッチ部７２は初期状態にリセットされ１ＢＥＴの設定が可能となる。
【００１７】
中枠１２は、その上部に遊技盤ユニット８を収納する遊技盤ユニット収納部９９を有する。遊技盤ユニット８は、制御装置、回胴表示装置６、液晶表示器６Ａ、賞数（ＰＡＹＯＵＴ）表示器９２、ボーナス（ＢＯＮＵＳ）ゲームのゲーム回数又は残ゲーム回数を表示する表示器９３、クレジット球数を表示するクレジット表示器９４、取込球数を表示する表示器、即ち、賭球数表示器９５が配設されている。また、図２に示すように、中枠１２の低音スピーカ７５が設けられている位置の左横には、前枠２の裏面に取付けられた球取込装置７を収納するための収納孔７９が形成されている。中枠１２の下部には、低音スピーカ７５等の様々な遊技部品が取付けられている。中枠１２には遊技盤ユニット８が取付部７６を介して取付けられ、遊技盤ユニット８のデザインパネル付き保護板８Ａは前枠２の窓部２１を介して遊技者に見えるようになっており、窓部２１にはガラス板２１１（２２１ａ、２１１ｂ）が嵌め込まれており、遊技者が直接手で触れることはできない。図３に示すように、遊技盤ユニット８は、デザインパネル付き保護板８Ａと、このデザインパネル付き保護板８Ａが取付けられた遊技盤パネル取付枠８Ｂと、取付枠８Ｃとで構成されている。遊技盤ユニット８は、遊技盤パネル取付枠８Ｂが蝶番８７により取付枠８Ｃに片開き可能に取りつけられ、遊技盤パネル取付枠８Ｂは、デザインパネル付き保護板８Ａにより表面を覆われている。
【００１８】
前記蝶番が設けられている反対側の取付枠８Ｃと遊技盤パネル取付枠８Ｂとが対向する位置にマグネットが配設され、該マグネットが互いに吸着して取付枠８Ｃと遊技盤パネル取付枠８Ｂとを保持する。取付枠８Ｃと遊技盤パネル取付枠８Ｂとは、つまみ７７を引くことにより前記マグネットが離され片開きに開閉される。取付枠８Ｃは、位置決め孔７６ａ及び係止部８２ｂを備えている。上記位置決め孔７６ａ及び係止部８２ｂは、取付枠８Ｃの上部両側及び上部両側に、それぞれ形成されている。中枠１２には、前記係止部８２ｂと係合する係合部８００が設けられていて、該係合部８００は、つまみにより回転し、前記係止部８２ｂの先端と係合し、中枠１２の遊技盤ユニット収納部９９に収納された遊技盤ユニット８を固定する。このように、係合部８００を回動させるだけで簡単に遊技盤ユニット８を中枠１２に取付けることができる。
【００１９】
前記デザインパネル付き保護板８Ａは、表示窓８２、８３及び前記表示器９２、９３、９４、９５等の開口窓９２ａ、９３ａ、９４ａ、９５ａ以外を塗料などで塗装して内部が見えないように構成されたデザインパネル８ＡＡと、透明の樹脂、あるいはガラス板などで構成され、前記デザインパネル８ＡＡと同じ形状の保護板８ＡＢで構成されている。表示窓８２、８３及び前記表示器９２、９３、９４、９５等の開口窓９２ａ、９３ａ、９４ａ、９５ａを介して回胴表示装置６の各回胴リール５３に設けられた変動図柄及び回胴リール５３が停止した場合の停止図柄、液晶表示装置６Ａ、表示器９２、９３、９４、９５等の表示を遊技者が見ることができる。前記デザインパネル８ＡＡと、保護板８ＡＢとは、周知の例えば水押し等の方法によりデザイン面が遊技者に見えるように保護板８ＡＢに貼り付けることにより、デザインパネル８ＡＡと保護板８ＡＢとを容易に剥離でき、デザインの変更に容易に対応できる。また、デザインパネル８ＡＡの損傷を防止するために、保護板８ＡＢと遊技盤ユニット８との間にデザインパネル８ＡＡを配設する。デザインパネル付き保護板８Ａは、遊技盤パネル取付枠８Ｂに設けられた係止用の爪８２ａにより前面から係止される。
【００２０】
中枠１２に遊技盤ユニット８を収納し、前記前枠２を閉じたとき、当該前枠２の窓部２１（２６、２７）は、当該窓部２１（２６、２７）に嵌め込まれたガラス板２１１ａ、２１１ｂによりデザインパネル付き保護板８Ａの周囲を覆う。この結果、窓部２１（２６、２７）の周囲から遊技者が故意のいたずらにより異物を挿入することを防止できる。
【図面の簡単な説明】
【００２１】
【図１】本発明の実施形態による遊技機枠を用いて構成されたスロットマシンの斜視図である。
【図２】本発明の実施形態による前枠と後部枠の分解斜視図である。
【図３】本発明の実施形態による遊技盤ユニットの分解斜視図である。
【図４】本発明の実施形態によるデザインパネル付き保護板の構成を説明する図であって、（ａ）はデザインパネル、（ｂ）は保護板を示す。
【図５】従来のスロットマシンの斜視図である。
【図６】従来のスロットマシンの枠構造を説明する図である。
【符号の説明】
【００２２】
１  後部枠、２  前枠、３  上ヒンジ、４  下ヒンジ、６  回胴表示装置、７  球取込装置、８  遊技盤ユニット、８Ａ  デザインパネル付き保護板、８ＡＡ  デザインパネル、８ＡＢ  保護板、２０  皿装置、２１１（２１１ａ、２１１ｂ）  ガラス板
【図１】
2005168845.tif 000003
【図２】
2005168845.tif 000004
【図３】
2005168845.tif 000005
【図４】
2005168845.tif 000006
【図５】
2005168845.tif 000007
【図６】
2005168845.tif 000008